(57)【要約】【課題】押縁を取り外した状態で、パネル体を支持することができ、防犯性が向上した建具とする。【解決手段】合成樹脂製の枠体を形成する枠材は、枠本体１０と押縁２０を備え、枠本体２０にパネル体２を支持するセッティングブロック６を取り付け、このセッティングブロック６にパネル体押え７をねじ７５で固着して取り付け、パネル体押え７でパネル体２が面外方向に外れないように支持することで、押縁２０を取り外した状態でパネル体押え７によりパネル体２を支持し、防犯性が向上した建具とする。【選択図】図１０
2018031258.tif 000002
【特許請求の範囲】
【請求項１】
合成樹脂製の枠体にパネル体を取り付けた建具であって、前記枠体を形成する枠材は、内側面の面外方向一側にパネル体支持突起を有した枠本体と、枠本体の面外方向他側に着脱自在に取り付けた押縁を備え、
前記枠本体の内側面に、前記パネル体を支持するセッティングブロックを取り付け、
前記セッティングブロックの面外方向他側に、前記パネル体を面外方向他側方に外れないように支持するパネル体押えを取り付け、
前記押縁は、セッティングブロック及びパネル体押えよりも面外方向他側寄りで、かつセッティングブロック及びパネル体押えよりも面内方向内側に突出していることを特徴とする建具。
【請求項２】
前記枠本体は、内側面の面外方向他側に被取付部を有し、
前記パネル体押えは、面内方向中間に孔を有し、面内方向外側に面外方向他側に向かう突起を有し、面内方向内側に面外方向一側に向かうクッション材を有し、
前記パネル体押えは、前記孔を挿通したねじをセッティングブロックに螺合することで、前記突起が被取付部に接し、かつクッション材がパネル体に接して取り付けてある請求項１記載の建具。
【請求項３】
前記枠本体は、パネル体支持突起に第１の被取付部を有し、内側面の面外方向他側に第２の被取付部を有し、前記セッティングブロックは、面外方向一側に第１取付部を有し、面外方向他側に第２取付部を有し、前記セッティングブロックは、第１取付部を第１の被取付部に係止し、第２取付部を第２の被取付部に係合して枠本体に取り付けてある請求項３記載の建具。
【請求項４】
本発明の建具は、前記セッティングブロックは、内側面の面外方向他側に位置決め部を有し、
前記第２の被取付部は、被位置決め部を有し、
前記セッティングブロックは枠本体に、位置決め部と被位置決め部とで枠本体の長さ方向に位置決めして取り付けてある請求項３記載の建具。
【請求項５】
前記セッティングブロックは、面外方向他側面に第２取付部と位置決め部を面内方向に離隔して有し、前記第２取付部を第２の被取付部に係合し、かつ位置決め部と被位置決め部とで位置決めした状態で、前記面外方向他側面と第２の被取付部と第２取付部と位置決め部との間に隙間を形成し、
前記パネル体押えは、面内方向外側の突起を前記隙間に挿入して第２の被取付部に接して取り付けてある請求項４記載の建具。
【発明の詳細な説明】
【技術分野】
【０００１】
本発明は、嵌め殺し窓、障子などの合成樹脂製の枠体にパネルを取り付けた建具に関する。
【背景技術】
【０００２】
窓枠にガラスを取り付けた窓が特許文献1に開示されている。
この窓は、窓枠を形成する枠材を、押縁により溝を形成する材料とし、ガラスを窓枠に押縁を用いて取り付けている。
【先行技術文献】
【特許文献】
【０００３】
【特許文献１】実公昭５７−１４３０６号公報
【発明の概要】
【発明が解決しようとする課題】
【０００４】
近年、窓枠を形成する枠材を合成樹脂製とすることで、断熱性、遮音性に優れ、見栄えが良い窓とすることが行われている。
合成樹脂製の窓において、ガラスを窓枠に押縁を用いて取り付けると、押縁を簡単に取り外しできるから、押縁を取り外すことにより、ガラスも容易に取り外すことができ、防犯上好ましくない。
【０００５】
本発明は、前述の課題を解決するためになされたもので、その目的は、押縁を取り外した状態でパネル体を支持することができ、防犯性が向上した建具を提供することである。
【課題を解決するための手段】
【０００６】
本発明は、合成樹脂製の枠体にパネル体を取り付けた建具であって、前記枠体を形成する枠材は、内側面の面外方向一側にパネル体支持突起を有した枠本体と、枠本体の面外方向他側に着脱自在に取り付けた押縁を備え、
前記枠本体の内側面に、前記パネル体を支持するセッティングブロックを取り付け、
前記セッティングブロックの面外方向他側に、前記パネル体を面外方向他側方に外れないように支持するパネル体押えを取り付け、
前記押縁は、セッティングブロック及びパネル体押えよりも面外方向他側寄りで、かつセッティングブロック及びパネル体押えよりも面内方向内側に突出していることを特徴とする建具である。
【０００７】
本発明の建具は、前記枠本体は、内側面の面外方向他側に被取付部を有し、
前記パネル体押えは、面内方向中間に孔を有し、面内方向外側に面外方向他側に向かう突起を有し、面内方向内側に面外方向一側に向かうクッション材を有し、
前記パネル体押えは、前記孔を挿通したねじをセッティングブロックに螺合することで、前記突起が被取付部に接し、かつクッション材がパネル体に接して取り付けることができる。
このようにすれば、パネル体押えをセッティングブロックに簡単に取り付けできるから組立作業が向上すると共に、パネル体押えでパネル体が面外方向他側に外れることを防止できるから防犯性が向上する。
【０００８】
本発明の建具は、前記枠本体は、パネル体支持突起に第１の被取付部を有し、内側面の面外方向他側に第２の被取付部を有し、前記セッティングブロックは、面外方向一側に第１取付部を有し、面外方向他側に第２取付部を有し、前記セッティングブロックは、第１取付部を第１の被取付部に係止し、第２取付部を第２の被取付部に係合して枠本体に取り付けることができる。
このようにすれば、セッティングブロックを簡単に取り付けできる。
【０００９】
本発明の建具は、前記セッティングブロックは、内側面の面外方向他側に位置決め部を有し、
前記第２の被取付部は、被位置決め部を有し、
前記セッティングブロックは枠本体に、位置決め部と被位置決め部とで枠本体の長さ方向に位置決めして取り付けることができる。
このようにすれば、セッティングブロックを枠本体の長さ方向の所定の位置に正しく取り付けできる。
【００１０】
本発明の建具は、前記セッティングブロックは、面外方向他側面に第２取付部と位置決め部を面内方向に離隔して有し、前記第２取付部を第２の被取付部に係合し、かつ位置決め部と被位置決め部とで位置決めした状態で、前記面外方向他側面と第２の被取付部と第２取付部と位置決め部との間に隙間を形成し、
前記パネル体押えは、面内方向外側の突起を前記隙間に挿入して第２の被取付部に接して取り付けることができる。
【発明の効果】
【００１１】
本発明によれば、セッティングブロックに取り付けたパネル体押えでパネル体を支持するので、押縁を取り外した状態でパネル体を支持することができ、防犯性が向上した建具とすることができる。
【図面の簡単な説明】
【００１２】
【図１】本発明の実施の形態を示す連窓の内観図である。
【図２】図１のＡ−Ａ拡大断面図である。
【図３】図１のＢ−Ｂ拡大断面図である。
【図４】図１のＣ−Ｃ拡大断面図である。
【図５】右の縦枠とセッティングブロックとパネル体押えの分解斜視図である。
【図６】セッティングブロックの平面図である。
【図７】セッティングブロックの正面図である。
【図８】図６のＤ−Ｄ断面図である。
【図９】図６のＥ−Ｅ断面図である。
【図１０】図３のＦ部拡大図である。
【図１１】図１０のパネル体押え取付部の断面図である。
【図１２】セッティングブロックの取り付け説明図である。
【図１３】セッティングブロックの取り付け状態の説明図である。
【図１４】図１３のＧ−Ｇ断面図である。
【図１５】パネル体の取り付け説明図である。
【図１６】パネル体取り付け状態の説明図である。
【発明を実施するための形態】
【００１３】
図１は、本発明の実施形態を示す連窓の内観図である。
窓枠１は、上枠１ａと下枠１ｂと左の縦枠１ｃと右の縦枠１ｄを枠組みし、上枠１ａの長さ方向中間部と下枠１ｂの長さ方向中間部とに渡って堅中骨１ｅを取り付けてある。
上枠１ａと下枠１ｂと右の縦枠１ｄと堅中骨１ｅとで嵌め殺し窓用枠部１−１を形成している。
上枠１ａと下枠１ｂと左の縦枠１ｄと堅中骨１ｅとで可動窓用枠部１−２を形成している。
嵌め殺し窓用枠部１−１にパネル体２を取り付けて嵌め殺し窓ａとしてある。
可動窓用枠部１−２に障子３を、可動窓用枠部１−２よりも室外側に突出して開放するように取り付けて可動窓ｂとしてある。
【００１４】
障子３は、框組体４にパネル体５を取り付けてある。
框組体４は、上框４ａと、下框４ｂと、左の縦框４ｃと、右の縦框４ｄを框組みした方形状である。
【００１５】
つまり、窓枠１の嵌め殺し窓用枠部１−１及び障子３の框組体４が本発明の枠体で、上枠１ａ、下枠１ｂ、右の縦枠１ｄ、堅中骨１ｅ及び上框４ａ、下框４ｂ、左の縦框４ｃ、右の縦框４ｄが枠体を形成する枠材である。
嵌め殺し窓ａ及び障子３が本発明の枠体にパネル体を取り付けた建具である。
【００１６】
図２及び図３に示すように、嵌め殺し窓用枠部１−１を形成する上枠１ａ、下枠１ｂ、右の縦枠１ｄ、堅中骨１ｅは、枠本体１０と、枠本体１０に着脱可能に取り付けた押縁２０とを備えている。枠本体１０及び押縁２０は合成樹脂製、例えば合成樹脂の押出形材である。
【００１７】
枠本体１０は、面内方向の内側で面外方向に向う内側面１１を有する。
面内方向の内側とはパネル体２を取り付ける側で、上枠１aと下枠１ｂとでは上下方向に対向した側で、右の縦枠１ｄと堅中骨１ｅとでは左右方向に対向した側である。
枠本体１０は、内側面１１の面外方向一側にパネル体支持突起１２を有している。パネル体支持突起１２は内側面１１よりも面内方向の内側に突出している。面外方向一側は室内外側方向の室内側又は室外側で、実施形態では室内側である。
【００１８】
枠本体１０は、内側面１１の面外方向他側寄りに被取付部１３と押縁被取付部１４を有している。面外方向他側は室内外方向の室内側又は窓外側で、実施形態では室外側である。
被取付部１３と押縁被取付部１４は面外方向に離隔し、押縁被取付部１４は被取付部１３よりも面外方向他側に位置している。
被取付部１３には後述するセッティングブロック、パネル体押えが取り付けられ、押縁被取付部１４には押縁２０が取り付けられる
【００１９】
堅中骨１eの枠本体１０は面内方向右側と左側に内側面１１、パネル体支持突起１２、被取付部１３、押縁被取付部１４を有している。
堅中骨１eの面内方向右側部分が嵌め殺し窓用枠部１−１を形成し、面内方向左側部分は可動窓用枠部１−２を形成するので、堅中骨１eの面内方向右側の押縁被取付部１４に押縁２０が取り付けてあり、面内方向左側の押縁被取付部１４には押縁２０が取り付けていない。
【００２０】
上枠１ａ、下枠１ｂ、右の縦枠１ｄの枠本体１０は、堅中骨１ｅの枠本体１０よりも面外方向の寸法が長く、堅中骨１ｅの面外方向他側（押縁被取付部１４）よりも面外方向他側に突出した突出部１５を有している。
【００２１】
押縁２０の面内方向の外側部は、押縁被取付部１４に着脱自在に取り付けられる。押縁２０の面内方向の内側部は枠本体１０の内側面１１よりも面内方向の内側に突出し、パネル体２の面外方向他側面に接している。
枠本体１０の内側面１１と、パネル体支持突起１２と、押縁２０とでパネル体取付用の凹陥部１６を形成している。凹陥部１６は面内方向の内側に開口している。
パネル体２の上横縁部が上枠１ａの凹陥部１６に取り付けてある。
パネル体２の下横縁部が下枠１ｂの凹陥部１６に取り付けてある。
パネル体２の左縦縁部が堅中骨１ｅの凹陥部１６に取り付けてある。
パネル体の右縦縁部が右縦枠１ｄの凹陥部１６に取り付けてある。
【００２２】
図３に示すように、左の縦枠１ｃは上枠１aの枠本体１０と同一断面形状である。
つまり、左縦枠１ｃは内側面１１、パネル体支持突起１２、被取付部１３、押縁被取付部１４、突出部１５を有している。
【００２３】
図３及び図４に示すように、上框４ａ、下框４ｂ、左の縦框４ｃ、右の縦框４ｄは、枠本体４０、枠本体４０に着脱自在に取り付けた押縦５０を備えている。
枠本体４０、押縁５０は合成樹脂製、例えば合成樹脂の押出形材である。
【００２４】
枠本体４０は上枠１ａの枠本体１０と同様に、内側面４１、パネル体支持突起４２、被取付部４３、押縁被取付部４４を有している。
枠本体４０の面外方向他側に面内方向外側に突出した戸当り部４５を有している。
枠本体４０の押縁被取付部４４に押縁５０を取り付け、内側面４１とパネル体支持突起４２と押縁５０とで凹陥部４６を形成している。
上框４ａの凹陥部４６にパネル体５の上横縁部が取り付けてある。
下框４ｂの凹陥部４６にパネル体５の下横縁部が取り付けてある。
左の縦框４ｃの凹陥部４６にパネル体５の左縦縁部が取り付けてある。
右の縦框４ｄの凹陥部４６にパネル体５の右縦縁部が取り付けてある。
【００２５】
つまり、本発明の枠体を形成する枠材は、内側面の面外方向一側にパネル体支持突起を有し、内側面の面外方向他側に被取付部、押縁被取付部を有した枠本体と、枠本体の押縁被取付部に取り付けた押縁を備えている。
【００２６】
次に、パネル体２を嵌め殺し窓用枠部１−１に取り付ける構成を説明する。
図２及び図３に示すように、下枠１ｂの枠本体１０の内側面１１、右の縦枠１ｄの枠本体１０の内側面１１、堅中骨１ｅの枠本体１０の右の内側面１１にセッティングブロック６がそれぞれ取り付けてある。セッティングブロック６でパネル体２を面内方向に動くことがないように支持している。
【００２７】
図３に示すように、右の縦枠１ｄの枠本体１０、堅中骨１ｅの枠本体１０にパネル体押え７がそれぞれ取り付けある。
パネル押え７は、セッティングブロック６よりも面内方向の内側に突出し、パネル体押え７の面内方向内側部はパネル体２の面外方向他側面に接している。
これにより、パネル体押え７はパネル体２が枠本体１０から面外方向他側方に外れることを防止する。
【００２８】
押縁２０は、セッティングブロック６の面外方向他側、パネル体押え７よりも面外方向他側に取り付けてある。
押縁２０の面内方向内側はパネル体押え７よりも面内方向内側に突出し、押縁２０はセッティングブロック６、パネル体押え７を被覆している。
【００２９】
図５〜図９に示すように、セッティングブロック６は、厚さ方向一方側の取付面６０と、厚さ方向他方側のパネル体支持面６１及び長さ方向一側（面外方向一側）の一側支持面６２、長さ方向他側（面外方向他側）の他側面６３、幅方向両面の２つの端面６４，６４を有した直方体形状である。
セッティングブロック６は、面外方向一側寄りに面外方向一側方に向かう第１取付部６５を有する。
第１取付部６５は、パネル体支持面６１と平行に対して、基部６５ａよりも先端部６５ｂが面内方向内側方となるように斜めの板状で、第１取付部６５の先端部６５ｂはパネル体支持面６１よりも面内方向内側に突出している。
実施形態では、セッティングブロック６の一側支持面６２の長さ方向中間に凹部６２aを有し、その凹部６２ａに第１取付部６５が一体的に設けてある。第１取付部６５の先端部６５ｂは一側支持面６２よりも面外方向の一側方に突出している。
【００３０】
セッティングブロック６は、面外方向の他側面６３に第２取付部６６と位置決め部、例えば突部６７を有している。
第２取付部６６は面外方向の他側面６３の長さ方向両側にそれぞれ設けてある。第２取付部６６は、基部が他側面６３の上部に一体的に設けられ、第２取付部６６の基部よりも先部寄りは他側面６３と離隔した面内方向外側に向かう板状である。第２取付部６６の先部は係合部６６ａを有し、係合部６６ａは取付面６０よりも下方に突出している。
【００３１】
突部６７は、面外方向の他側面６３の長さ方向中間、つまり、一対の第２取付部６６の間に設けてある。
突部６７は取付面６０よりも下方に突出している。
他側面６３の第２取付部６６と突部６７との間にねじ孔６８をそれぞれ有する。
【００３２】
パネル体押え７は図５に示すように、矩形板状の本体７０を有し、本体７０の長さＬ１は一対の第２取付部６６間の寸法Ｌ２よりも小さく、本体７０の幅Ｈ１はセッティングブロック６の厚さ（面内方向の寸法）Ｈ２よりも大きい。
本体７０の一側面７０ａの幅方向一側部にクッション材７１が設けてある。クッション材７１はパネル体押え７の面内方向内側で、面外方向一側方に向かう。
本体７０の他側面７０ｂの幅方向他側には突起７２を有し、本体７０はＪ字形状である。突起７２はパネル体押え７の面内方向外側で、面外方向他側に向かう。
本体７０の長さ方向中間に切欠部７３を有している。切欠部７３は本体７０の幅方向他端面７０ｃに開口している。
切欠部７３がセッティングブロック６の突部６７に嵌まり合うようにしてある。
本体７０は切欠部７３の長さ方向両側に孔７４を有している。孔７４はパネル体押え７の面内方向中間に設けてある。
【００３３】
このようであるから、パネル体押え７はセッティングブロック６の一対の第２取付部６６間において、切欠部７３が突部６７に嵌まり合うようにして取り付けられる。
パネル体押え７の孔７４がセッティングブロック６の他側面６３のねじ孔６８と対向する。
【００３４】
図５に示すように、枠本体１０のパネル体支持突起１２の面外方向他側面１２ａに被取付部１７を有する。
被取付部１７は、面内方向内側の第１面１７ａと面内方向外側の第２面１７ｂとで面外方向他側に向けて凹溝形状である。
第１面１７ａは内側面１１とほぼ平行で、第２面１７ａは内側面１１と平行に対して傾斜している。
【００３５】
枠本体１０の被取付部１３は、被取付壁１３ａと、被取付壁１３ａと内側面１１との間に形成した被取付溝１３ｂを有している。
枠本体１０の押縁被取付部１４は被取付壁１４ａと、被取付壁１４ａと被取付部１３の被取付壁１３ａとの間に形成した被取付溝１４ｂを有している。
各被取付壁１３ａ，１４ａは面内方向の内側に向けて突出し、枠本体１０の長さ方向に連続している。
各被取付溝１３ｂ，１４ｂは面内方向の内側に向けて開口し、枠本体１０の長さ方向に連続している。
被取付部１３の被取付壁１３ａの突出端に被係合部１３ｃが面外方向一側に向けて設けてある。
【００３６】
セッティングブロック６の長さは枠本体１０の長さに比べて短く、セッティングブロック６は枠本体１０の長さ方向に間隔を置いて複数取り付ける。
枠本体１０の被取付部１３の被取付壁１３ａにおけるセッティングブロック６を取り付ける部分に被位置決め部が設けてある。実施形態ではセッティングブロック６の突部６７が嵌合する凹部１３ｄが形成してある。
【００３７】
図１０に示すように、セッティングブロック６は、取付面６０が内側面１１に接し、一側支持面６２がパネル体支持突起１２の他側面１２ａに接して面内方向外側及び面外方向一側方に動かないように支持される。第１取付部６５が被取付部１７に面内方向内側に動かないように係止している。第２取付部６６の係合部６６ａが被取付部１３の被取付壁１３ａの被取付部１３ｃに係合して面内方向内側及び面外方向他側方に動かないように取り付けてある。
【００３８】
セッティングブロック６は、前述のように第１取付部６５を枠本体１０の被取付部１７に押しつけて係止し、第２取付部６６を枠本体１０の被取付部１３に係合することで、枠本体１０に取り付けてあるので、セッティングブロック６を枠本体１０に簡単に取り付けできると共に、面外方向に動いたり、面内方向の内側に動いたりすることがない。
【００３９】
図１１に示すように、パネル体押え７は、本体７０の切欠部７３を突部６７に嵌め込み、本体７０の孔７４からねじ７５をセッティングブロック６のねじ孔６８に螺合して取り付ける。これにより、クッション材７１をパネル体２の面外方向他側面に押しつけ、突起７２を被取付部１３の被取付壁１３ａに押しつけるようにしてパネル体押え７を取り付けてある。
【００４０】
パネル体押え７は、前述のようにパネル体押え７の面内方向中間をねじ７５でセッティングブロック６に固着し、面内方向内側をパネル体２に押しつけ、面内方向外側を第１取付部１３に押しつけているので、パネル体押え７はパネル体２を強固に支持するから、防犯性能が優れたものである。
【００４１】
しかも、パネル体押え７を、枠本体１０のセッティングブロック６を取り付けした被取付部１３で支持しているから、枠本体１０の形状を単純とすることができる。
【００４２】
さらに、パネル体押え７はセッティングブロック６の一対の第２取付部６２間において取り付けてあるから、パネル体押え７はセッティングブロック６と面内方向に重なり合い、パネル体押え７はセッティングブロック６とともに狭い面内方向のスペースに取り付けできる。
【００４３】
ねじ７５は、締め付け操作し易いが、弛め操作し難いねじである。
例えば、専用工具で弛めることができるねじである。
【００４４】
次に、セッティングブロック６の取り付けを図１２と図１３を参照して説明する。
図１２に示すように、セッティングブロック６を枠本体１０の内側面１１と平行に対して斜めの姿勢とする。この姿勢で、セッティングブロック６の第１取付部６５をパネル体支持突起１２の被取付部１７に押しつけ、取付面６０の面外方向一側端を内側面１１に接する。
セッティングブロック６を取付面６０と内側面１１の接した部分を支点として矢印ａで示すように内側面１１に向けて回動する。
【００４５】
次いで、図１３及び図１４に示すように第２取付部６６の係合部６６ａを被取付部１３の被取付壁１３ａの係合部１３ｃに係合し、かつ突部６７を被取付壁１３ａの凹部１３ｄに嵌合すると同時に、第１取付部６５を被取付部１７に強く押しつけ、取付面６０を内側面１１に接すると共に、一側支持面６２をパネル体支持突起１２の他側面１２ａに押しつけることで、セッティングブロック６を取り付ける。
【００４６】
このようであるから、セッティングブロック６を面内方向に回動しながら取り付けできる。
また、突部６７が被取付壁１３ａの凹部１３ｄに嵌合しているので、セッティングブロック６を枠本体１０の長さ方向に位置決めし、かつ長さ方向に動くことがないように取り付けできる。
【００４７】
次に、パネル体押え７の取り付けを図１５と図１６を参照して説明する。
セッティングブロック６を枠本体１０に取り付けた状態で、図１４に示すように、セッティングブロック６の他側面６３と被取付部１３の被取付壁１３ａ（被係合部１３ｃ）は面外方向に離隔し、第２取付部６６と突部６７との間には隙間Ｓが形成されている。
図１５に示すように、パネル体押え７をセッティングブロック６のパネル支持面６１と直角に対して斜めとし、突起７２を前述の隙間Ｓに挿入しながらパネル体押え７を矢印ｂで示すようにセッティングブロック６に向けて回動する。
次いで、図１５に仮想線で示すようにパネル体押え７のクッション材７１をパネル体２の面外方向他側面に押しつける。
この状態でねじ７５を、孔７４からねじ孔６８に螺合して、図１６に示すようにパネル体押え７を取り付ける。
【００４８】
このようであるから、パネル体押え７をセッティングブロック６を基準とし、セッティングブロック６に固着して取り付けできる。
【００４９】
パネル体押え７を取り付けた後に、押縁２０を取り付ける。
【００５０】
図１０に示すように、押縁２０は、本体２１の面内方向外側に取付部２２を有し、本体２１の面内方向内側にシール部材２３を有している。
押縁２０は、取付部２２を押縁被取付部１４の被取付溝１４ｂ内に係合して取り付け、シール部材２３をパネル体２の面外方向他側面に押しつけるようにして取り付ける。
セッティングブロック６、パネル体押え７は押縁２０で覆われ、外部から見えない。
【００５１】
図３と図４に示すように、障子３の各框の枠本体４０の内側面４１にはセッティングブロック６がそれぞれ取り付けてある。これにより、框組体４が菱形に変形することを抑制する。
障子３の左の縦框４ｃ、右の縦框４ｄの枠本体４０にパネル体押え７がそれぞれ取り付けてある。
【００５２】
セッティングブロック６及びパネル体押え７は、前述の嵌め殺し窓用枠部１−１の各枠の枠本体１０に取り付けたセッティングブロック６、パネル体押え７と同一で、同じようにして取り付ける。
【００５３】
前述の実施の形態では、嵌め殺し窓用枠部１−１の上枠１ａの枠本体１０の内側面１１にはセッティングブロック６が設けていないが、セッティングブロック６を設けても良い。
また、パネル体押え７は右の縦枠１ｄ、竪中骨１ｅの枠本体１０に取り付けしたが、上の枠材１ａ、下の枠材１ｂの枠本体１０に取り付けても良いし、各枠本体１０にパネル体押え７をそれぞれ取り付けても良い。
【００５４】
前述の実施の形態では、框組体４の左右の縦框４ｃ，４ｄの枠本体４０にパネル体押え７を取り付けしたが、上框４ａ、下框４ｂの枠本体４０にパネル体押え７を取り付けしても良いし、各框の枠本体４０にパネル体押え７をそれぞれ取り付けしても良い。
【符号の説明】
【００５５】
１ａ…上枠、１ｂ…下枠、１ｃ…左の縦枠、１ｄ…右の縦枠、１ｅ…竪中骨、２…パネル体、４ａ…上框、４ｂ…下框、４ｃ…左の縦框、４ｄ…右の縦框、５…パネル体、６…セッティングブロック、７…パネル体押え、１０…枠本体、１１…内側面、１２…パネル体支持突起、１３…被取付部、１３ｃ…係合部、１３ｄ…切欠部（被位置決め部）、１７…被取付部、２０…押縁、６５…第１取付部、６６…第２取付部、６７…突部（位置決め部）７０…本体、７１…クッション材、７２…突起、７４…孔、７５…ねじ。
【図１】
2018031258.tif 000003
【図２】
2018031258.tif 000004
【図３】
2018031258.tif 000005
【図４】
2018031258.tif 000006
【図５】
2018031258.tif 000007
【図６】
2018031258.tif 000008
【図７】
2018031258.tif 000009
【図８】
2018031258.tif 000010
【図９】
2018031258.tif 000011
【図１０】
2018031258.tif 000012
【図１１】
2018031258.tif 000013
【図１２】
2018031258.tif 000014
【図１３】
2018031258.tif 000015
【図１４】
2018031258.tif 000016
【図１５】
2018031258.tif 000017
【図１６】
2018031258.tif 000018
【手続補正書】
【提出日】平成29年12月27日(2017.12.27)
【手続補正１】
【補正対象書類名】明細書
【補正対象項目名】０００６
【補正方法】変更
【補正の内容】
【０００６】
本発明は、合成樹脂製の枠体にパネル体を取り付けた建具であって、前記枠体を形成する枠材は、内側面の面外方向一側にパネル体支持突起を有した枠本体と、枠本体の内側面の面外方向他側に着脱自在に取り付けた押縁を備え、
前記枠本体の内側面に、前記パネル体を支持するセッティングブロックを取り付け、
前記セッティングブロックの面外方向他側に、前記パネル体を面外方向他側方に外れないように支持するパネル体押えを取り付け、
前記押縁は、セッティングブロック及びパネル体押えよりも面外方向他側寄りで、かつセッティングブロック及びパネル体押えよりも面内方向内側に突出しており、
前記枠本体は、内側面の面外方向他側に溝状の被取付部を有し、
前記セッティングブロックは、面外方向他側に取付部を有し、前記面外方向他側の取付部を前記溝状の被取付部に係合して枠本体に取り付けてあることを特徴とする建具である。
【手続補正２】
【補正対象書類名】明細書
【補正対象項目名】０００７
【補正方法】変更
【補正の内容】
【０００７】
本発明の建具は、前記パネル体押えは、面内方向外側に面外方向他側に向かう突起を有し、かつ面内方向内側部を有し、
前記パネル体押えは、前記突起が前記溝状の被取付部に接し、かつ前記面内方向内側部がパネル体に接してセッティングブロックに取り付けることができる。
このようにすれば、パネル体押えをセッティングブロックに簡単に取り付けできるから組立作業が向上すると共に、パネル体押えでパネル体が面外方向他側に外れることを防止できるから防犯性が向上する。
【手続補正３】
【補正対象書類名】明細書
【補正対象項目名】０００８
【補正方法】変更
【補正の内容】
【０００８】
本発明の建具は、前記溝状の被取付部を有する前記枠本体は、更に、パネル体支持突起に被取付部を有し、
前記面外方向他側の取付部を有する前記セッティングブロックは、更に、面外方向一側に取付部を有し、
前記セッティングブロックは、前記面外方向一側の取付部を前記パネル体支持突起の被取付部に係止し、前記面外方向他側の取付部を前記溝状の被取付部に係合して枠本体に取り付けることができる。
このようにすれば、セッティングブロックを簡単に取り付けできる。
【手続補正４】
【補正対象書類名】明細書
【補正対象項目名】０００９
【補正方法】変更
【補正の内容】
【０００９】
本発明の建具は、前記セッティングブロックは、内側面の面外方向他側に位置決め部を有し、
前記溝状の被取付部は、被位置決め部を有し、
前記セッティングブロックは枠本体に、位置決め部と被位置決め部とで枠本体の長さ方向に位置決めして取り付けることができる。
このようにすれば、セッティングブロックを枠本体の長さ方向の所定の位置に正しく取り付けできる。
【手続補正５】
【補正対象書類名】明細書
【補正対象項目名】００１０
【補正方法】変更
【補正の内容】
【００１０】
本発明の建具は、前記セッティングブロックは、面外方向他側面に前記面外方向他側の取付部と位置決め部を面内方向に離隔して有し、前記面外方向他側の取付部を前記溝状の被取付部に係合し、かつ位置決め部と被位置決め部とで位置決めした状態で、前記面外方向他側面と前記溝状の被取付部と前記面外方向他側の取付部と位置決め部との間に隙間を形成し、
前記パネル体押えは、面内方向外側の突起を前記隙間に挿入して前記溝状の被取付部に接して取り付けることができる。
【手続補正６】
【補正対象書類名】特許請求の範囲
【補正対象項目名】全文
【補正方法】変更
【補正の内容】
【特許請求の範囲】
【請求項１】
合成樹脂製の枠体にパネル体を取り付けた建具であって、前記枠体を形成する枠材は、内側面の面外方向一側にパネル体支持突起を有した枠本体と、枠本体の内側面の面外方向他側に着脱自在に取り付けた押縁を備え、
前記枠本体の内側面に、前記パネル体を支持するセッティングブロックを取り付け、
前記セッティングブロックの面外方向他側に、前記パネル体を面外方向他側方に外れないように支持するパネル体押えを取り付け、
前記押縁は、セッティングブロック及びパネル体押えよりも面外方向他側寄りで、かつセッティングブロック及びパネル体押えよりも面内方向内側に突出しており、
前記枠本体は、内側面の面外方向他側に溝状の被取付部を有し、
前記セッティングブロックは、面外方向他側に取付部を有し、前記面外方向他側の取付部を前記溝状の被取付部に係合して枠本体に取り付けてあることを特徴とする建具。
【請求項２】
前記パネル体押えは、面内方向外側に面外方向他側に向かう突起を有し、かつ面内方向内側部を有し、
前記パネル体押えは、前記突起が前記溝状の被取付部に接し、かつ前記面内方向内側部がパネル体に接してセッティングブロックに取り付けてある請求項１記載の建具。
【請求項３】
前記溝状の被取付部を有する前記枠本体は、更に、パネル体支持突起に被取付部を有し、
前記面外方向他側の取付部を有する前記セッティングブロックは、更に、面外方向一側に取付部を有し、
前記セッティングブロックは、前記面外方向一側の取付部を前記パネル体支持突起の被取付部に係止し、前記面外方向他側の取付部を前記溝状の被取付部に係合して枠本体に取り付けてある請求項１又は２記載の建具。
【請求項４】
前記セッティングブロックは、内側面の面外方向他側に位置決め部を有し、
前記溝状の被取付部は、被位置決め部を有し、
前記セッティングブロックは枠本体に、位置決め部と被位置決め部とで枠本体の長さ方向に位置決めして取り付けてある請求項１ないし３のいずれかに記載の建具。
【請求項５】
前記セッティングブロックは、面外方向他側面に前記面外方向他側の取付部と位置決め部を面内方向に離隔して有し、前記面外方向他側の取付部を前記溝状の被取付部に係合し、かつ位置決め部と被位置決め部とで位置決めした状態で、前記面外方向他側面と前記溝状の被取付部と前記面外方向他側の取付部と位置決め部との間に隙間を形成し、
前記パネル体押えは、面内方向外側の突起を前記隙間に挿入して前記溝状の被取付部に接して取り付けてある請求項４記載の建具。